(57)【要約】【課題】貫通孔を有し、且つ成形性に優れた軸受部材を備えた動圧軸受装置を提供する【解決手段】貫通孔を、キャビティ１６に配した成形ピン１３で成形するため、機械加工で成形する場合と比べて容易に成形でき、コンタミの混入の恐れもない。また、成形ピン１３を、キャビティ１６のうち、射出された樹脂による圧力が比較的低い幅広部Ａ１’に配することにより、極細の成形ピン１３が折損する恐れを低減することができる。【選択図】図５
2008008473.tif 000002
【特許請求の範囲】
【請求項１】
射出成形で形成された軸受部材と、軸受部材の内周に挿入された軸部材とを備え、軸受部材の内周面と軸部材の外周面との間に形成されたラジアル軸受隙間に、潤滑流体の動圧作用を発生させる動圧軸受装置において、
軸受部材に厚肉部と薄肉部を設け、厚肉部に内面を成形面とした軸方向の貫通孔を設けたことを特徴とする動圧軸受装置。
【請求項２】
軸受部材の円周方向に前記厚肉部と前記薄肉部を交互に設けた請求項1記載の動圧軸受装置。
【請求項３】
貫通孔の一端をラジアル軸受隙間の一端に連通させると共に、貫通孔の他端をラジアル軸受隙間の他端に連通させ、ラジアル軸受隙間、貫通孔、および貫通孔とラジアル軸受隙間の間を全て潤滑流体で満たした請求項１又は２記載の動圧軸受装置。
【発明の詳細な説明】
【技術分野】
【０００１】
本発明は、軸受隙間に生じる潤滑流体の動圧作用で軸部材を回転自在に支持する動圧軸受装置に関するものである。
【背景技術】
【０００２】
動圧軸受装置は、情報機器、例えばＨＤＤ等の磁気ディスク駆動装置、ＣＤ−ＲＯＭ、ＣＤ−Ｒ／ＲＷ、ＤＶＤ−ＲＯＭ／ＲＡＭ等の光ディスク駆動装置、ＭＤ、ＭＯ等の光磁気ディスク駆動装置等のスピンドルモータ用、レーザビームプリンタ（ＬＢＰ）のポリゴンスキャナモータ、プロジェクタのカラーホイール、あるいは電気機器、例えばファンモータなどの小型モータ用として好適に使用可能である。
【０００３】
例えば、特許文献１に示されている動圧軸受装置は、軸受部材（軸受スリーブ）と軸部材とを備え、軸受部材の内周面と軸部材の外周面との間に形成されるラジアル軸受隙間の潤滑流体の動圧作用で、軸部材を回転自在に支持している。この動圧軸受装置では、軸受部材を樹脂で形成することにより、材料コストの低減を図っている。
【０００４】
また、このような軸受部材には、軸受内部の圧力バランスを保つ等の目的で、内部を潤滑流体が流通可能の軸方向の貫通孔（バイパス通路）を形成する場合がある（特許文献２参照）。
【０００５】
【特許文献１】特開２００４−３１６７１２号公報
【特許文献２】特開２００４−１１８９７号公報
【発明の開示】
【発明が解決しようとする課題】
【０００６】
しかし、貫通孔の内径寸法は一般に微小（数十μｍ〜数百μｍ程度）であるため、軸受部材に機械加工等で貫通孔を形成することは極めて困難であり、且つ加工粉等が軸受内部にコンタミとして混入する恐れがある。
【０００７】
本発明の課題は、貫通孔を有し、且つ成形性に優れた軸受部材を備えた動圧軸受装置を提供することである。
【課題を解決するための手段】
【０００８】
前記課題を解決するため、本発明は、樹脂の型成形で形成された軸受部材と、軸受部材の内周に挿入された軸部材とを備え、軸受部材の内周面と軸部材の外周面との間に形成されたラジアル軸受隙間に、潤滑流体の動圧作用を発生させる動圧軸受装置において、軸受部材に厚肉部と薄肉部を設け、厚肉部に内面を成形面とした軸方向の貫通孔を設けたことを特徴とする。
【０００９】
このように、本発明では、貫通孔の内面が成形面であるので、貫通孔は軸受部材の型成形と共に、キャビティに配した成形ピンを用いて同時成形することができる。従って、容易に貫通孔を形成することができ、かつコンタミの問題も回避できる。
【００１０】
また、軸受部材に厚肉部と薄肉部を設けるため、キャビティには径方向幅の広い部分（以下、幅広部と称す）と径方向幅の狭い部分（以下、幅狭部と称す）とが形成される。このため、キャビティ内に射出された樹脂材料による圧力（以下、射出圧と称す）が場所によって異なる。極細の成形ピンに高い射出圧がかかると、成形ピンが折れるおそれがある。本発明では、軸受部材の厚肉部に軸方向の貫通孔を設けているため、射出圧が比較的小さいキャビティの幅広部に成形ピンが配置され、成形ピンが折れる危険性を低減することができる。
【００１１】
この軸受部材の厚肉部及び薄肉部は、例えば軸受部材の円周方向に交互に設けることができる。
【００１２】
このように形成した貫通孔の一端をラジアル軸受隙間の一端に連通させると共に、貫通孔の他端をラジアル軸受隙間の他端に連通させ、ラジアル軸受隙間、貫通孔、および貫通孔とラジアル軸受隙間の間を全て潤滑流体で満たすことにより、軸受装置の内部で潤滑流体を循環させることができる。これにより、軸受内部の潤滑流体に気泡や局所的な負圧が生じることを防止できる。
【発明の効果】
【００１３】
以上のように、本発明によれば、貫通孔を有し、かつ成形性に優れた軸受部材を備えた動圧軸受装置が得られる。
【発明を実施するための最良の形態】
【００１４】
以下、本発明の第１実施形態を図１〜図５に基づいて説明する。
【００１５】
図１は、本発明の第１実施形態に係る動圧軸受装置１を組込んだ情報機器用スピンドルモータの一構成例を概念的に示している。このスピンドルモータは、ＨＤＤ等のディスク駆動装置に用いられるもので、軸部材２を相対回転自在に非接触支持する動圧軸受装置１と、軸部材２に固定されるディスクハブ３と、例えば半径方向のギャップを介して対向させたステータコイル４およびロータマグネット５と、ブラケット６とを備えている。ステータコイル４はブラケット６の外周に取付けられ、ロータマグネット５はディスクハブ３の内周に取付けられている。動圧軸受装置１の軸受部材７は、ブラケット６の内周に固定される。また、ディスクハブ３には、情報記録媒体としてのディスクＤが一又は複数枚（図１では２枚）保持される。このように構成されたスピンドルモータにおいて、ステータコイル４に通電すると、ステータコイル４とロータマグネット５との間に発生する励磁力でロータマグネット５が回転し、これに伴って、ディスクハブ３およびディスクハブ３に保持されたディスクＤが軸部材２と一体に回転する。
【００１６】
図２は、動圧軸受装置１を示している。この動圧軸受装置１は、軸受部材７と、軸受部材７の内周に挿入される軸部材２と、軸受部材７の一端を閉口する蓋部材１０と、軸受部材７の他端をシールするシール部１１とを主に備えている。なお、説明の便宜上、軸方向両端に形成される軸受部材７の開口部のうち、蓋部材１０で閉口される側を下側、閉口側と反対の側を上側として以下説明する。
【００１７】
軸部材２は、軸部２ａと軸部２ａの下端に設けたフランジ部２ｂとからなり、ＳＵＳ鋼等の金属材料で一体または別体に形成される。軸部材２の各部は、同種の材料で形成する他、別材料で形成することもできる。例えば軸部２ａを金属材料で形成すると共に、フランジ部２ｂの一部または全部を樹脂材料で形成することもでき、この場合、軸部材２は、軸部２ａをインサート部品とする樹脂の射出成形で製作することが可能である。
【００１８】
軸受部材７は、軸方向両端を開口した形状をなし、略円筒状のスリーブ部８と、スリーブ部８の外径側に位置するハウジング部９とを一体に備えている。この実施形態では、軸受部材７は、例えば液晶ポリマー（ＬＣＰ）やポリフェニレンサルファイド（ＰＰＳ）、ポリエーテルエーテルケトン（ＰＥＥＫ）等の結晶性樹脂、あるいはポリフェニルサルフォン（ＰＰＳＵ）、ポリエーテルサルフォン（ＰＥＳ）、ポリエーテルイミド（ＰＥＩ）等の非晶性樹脂をベース樹脂とする樹脂組成物を射出成形することで形成される。また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボンファイバー、カーボンブラック、黒鉛、カーボンナノマテリアル、金属粉末等の繊維状又は粉末状の導電性充填材を用いることができる。これらの充填材は、単独で用い、あるいは、二種以上を混合して使用しても良い。
【００１９】
スリーブ部８は、円周方向で厚肉部Ａ１と薄肉部Ａ２を交互に備え、その内周面８ａは複数の円弧面からなる多円弧形状を呈している（図３に誇張して示す）。軸部材２の回転時には、スリーブ部８の内周面８ａと軸部２ａの外周面２ａ１との間に、ラジアル軸受部Ｒのラジアル軸受隙間を形成する。
【００２０】
スリーブ部８の下端面８ｂの全面または一部環状面領域には、複数の動圧溝を配列した領域が形成される。この実施形態では、例えば図４に示すように、複数の動圧溝８ｂ１をスパイラル形状に配列した領域が形成される。軸部材２の回転時には、動圧溝８ｂ１の形成領域とフランジ部２ｂの上端面２ｂ１との間に、第１スラスト軸受部Ｔ１のスラスト軸受隙間を形成する（図２を参照）。
【００２１】
スリーブ部８の外径側に位置するハウジング部９は略筒状をなすもので、その軸方向両端をスリーブ部８の両端面８ｂ、８ｃよりも軸方向上下に突出させた形態をなす。ハウジング部９の下端突出部９ａの内周には、軸受部材７の下端側を閉口する蓋部材１０が接着、圧入、接着剤介在下での圧入（以下、圧入接着と称す）、溶着、あるいは溶接等の手段で固定される。この際、ハウジング部９と蓋部材１０との固定面間では、軸受内部に充満した潤滑油が少なくとも外部に漏出しない程度の密封性が確保されている。
【００２２】
ハウジング部９の上端突出部９ｂの内周には環状のシール部１１が、その下端面１１ｂをスリーブ部８の上端面８ｃに当接させた状態で固定される。シール部１１の内周面１１ａと、この面に対向する軸部２ａの外周面２ａ１との間には、その半径方向寸法を上方に向けて漸次拡大させたテーパ状のシール空間Ｓ１が形成される。軸受内部が潤滑油で満たされた状態では、潤滑油の油面は常にシール空間Ｓ１の範囲内にある。
【００２３】
軸受部材７の径方向中間部には、図２に示すように、軸受部材７を軸方向に貫通する複数の貫通孔１２が形成される。この貫通孔１２は、この実施形態では、円周方向等間隔の複数箇所、例えば４箇所に設けられる。貫通孔１２は、下端でスリーブ部８の下端面８ｂの動圧溝８ｂ１形成領域よりも外径側に開口する（図４参照）と共に、上端でスリーブ部８の上端面８ｃの外径側に開口する。
【００２４】
貫通孔１２の内径の大きさは、軸受内部の潤滑流体の流動性や、貫通孔１２の成形性などを考慮して適宜の値に設定される。しかし、貫通孔１２の内径が大きすぎると、軸受部材の強度低下を招いたり、他の流体保持空間から貫通孔１２へ流体が過剰に流れ込むことで、本来圧力が高まるべき箇所、すなわちラジアル軸受隙間およびスラスト軸受隙間から流体が逃げ、あるいは局所的に負圧状態を生じ、かえって圧力バランスが崩れる恐れがある。このため、貫通孔１２の内径は、内部を潤滑流体が良好に流れることのできる範囲内で、できるだけ小径に設定することが望ましい。
【００２５】
貫通孔１２の上端は、シール部１１の下端面１１ｂに複数設けられた半径方向溝１１ｂ１を介してラジアル軸受隙間の上端と連通し、貫通孔１２の下端は、蓋部材１０の当接面１０ｂ１に複数設けられた半径方向溝１０ｃ及び第１スラスト軸受部Ｔ１のスラスト軸受隙間を介してラジアル軸受隙間の下端と連通する。
【００２６】
この軸受部材７は、以下のように形成される。軸受部材７の射出成形で使用される金型は、図５に示すように、真円状の内周面を有する外型１４と、軸受部材７の内周面８ａの形状に対応した多円弧形状の外周面を有する内型１５とを備える。この外型１４及び内型１５で形成されたキャビティ１６に、貫通孔１２を成形するための成形ピン１３を配置し、スプルー１７およびゲート１８を介してキャビティ１６内に樹脂材料を射出する。このように、貫通孔１２の内面を成形ピン１３で成形するため、軸受部材７の成形と同時に簡易に貫通孔１２を形成することができ、且つ加工粉も生じないため、コンタミによる不具合も解消できる。
【００２７】
また、内型１５の外周面が多円弧形状であるため、キャビティ１６には円周方向で交互に幅広部Ａ１’と幅狭部Ａ２’が形成される。ゲート１８から射出された樹脂材料の圧力は、幅狭部Ａ２’で最大となる。本発明では、図５に示すように、キャビティ１６のうち、比較的圧力の低い幅広部Ａ１’に成形ピン１３を配することにより、極細形状の成形ピン１３が折損する危険を低減することができる。
【００２８】
蓋部材１０の上端面１０ａの一部環状面領域には、図示は省略するが、複数の動圧溝を、例えば図４に示すスパイラル形状とは円周方向反対向きの形状となるよう配列した領域が形成される。軸部材２の回転時には、この動圧溝形成領域とフランジ部２ｂの下端面２ｂ２との間に、第２スラスト軸受部Ｔ２のスラスト軸受隙間を形成する（図２を参照）。
【００２９】
また、蓋部材１０の上端面１０ａの外周には上方に突出する突出部１０ｂが設けられており、突出部１０ｂの上端に位置する当接面１０ｂ１をスリーブ部８の下端面８ｂに当接させた状態で、蓋部材１０が下端突出部９ａの内周に固定される。この場合、突出部１０ｂの軸方向寸法からフランジ部２ｂの軸方向幅を減じた値が、スラスト軸受部Ｔ１、Ｔ２の各スラスト軸受隙間の総和に等しくなる。
【００３０】
上記構成の動圧軸受装置１の内部空間、詳しくはラジアル軸受隙間、スラスト軸受隙間、貫通孔１２、及びこれらの間の空間を全て潤滑油で満たす。潤滑油としては、種々のものが使用可能であるが、ＨＤＤ等のディスク駆動装置用の動圧軸受装置に提供される潤滑油には、その使用時あるいは輸送時における温度変化を考慮して、低蒸発率及び低粘度性に優れたエステル系潤滑油、例えばジオクチルセバケート（ＤＯＳ）、ジオクチルアゼレート（ＤＯＺ）等が好適に使用可能である。
【００３１】
上記構成の動圧軸受装置１において、軸部材２の回転時、スリーブ部８の内周面８ａは、対向する軸部２ａの外周面２ａ１との間にラジアル軸受隙間を形成する。スリーブ部８の内周面８ａは非真円形状を呈するため、ラジアル軸受隙間は円周方向で異なる隙間幅を有する（図３を参照）。軸部材２の回転に伴い、ラジアル軸受隙間のうち比較的隙間幅が大きい部分の潤滑油が、比較的隙間幅が小さい部分に押し込まれることにより、潤滑油膜の圧力が上昇する。このように、ラジアル軸受隙間に生じる潤滑油の動圧作用によって、軸部材２をラジアル方向に非接触支持するラジアル軸受部Ｒが構成される。
【００３２】
これと同時に、スリーブ部８の下端面８ｂの動圧溝８ｂ１形成領域とこれに対向するフランジ部２ｂの上端面２ｂ１との間のスラスト軸受隙間、および蓋部材１０の上端面１０ａの動圧溝形成領域とこれに対向するフランジ部２ｂの下端面２ｂ２との間のスラスト軸受隙間に形成される潤滑油膜の圧力が、動圧溝の動圧作用により高められる。そして、これら油膜の圧力によって、軸部材２をスラスト方向に非接触支持する第１スラスト軸受部Ｔ１と第２スラスト軸受部Ｔ２とがそれぞれ構成される。
【００３３】
また、この動圧軸受装置１では、上述のように、軸受部材７に形成された貫通孔１２の上端がラジアル軸受隙間の上端に連通すると共に、貫通孔１２の下端がラジアル軸受隙間の下端に連通している。このため、何らかの理由でハウジング７の閉塞側の流体（潤滑油）圧力が過度に高まり、あるいは低下するといった事態を避けて、軸部材２をスラスト方向に安定して非接触支持することが可能となる。
【００３４】
以上、本発明の第１実施形態を説明したが、本発明はこの実施形態に限られない。以下、本発明の他の実施形態を説明する。なお、以下に示す図において、第１実施形態と構成・作用を同一にする部位および部材については、同一の参照番号を付し、重複説明を省略する。
【００３５】
例えば、スリーブ部８の内周面８ａの形状は多円弧形状に限定されず、図６に示すように、ステップ形状とすることもできる。具体的には、スリーブ部８の内周面８ａが、円周方向交互に現れる小径部８ａ１と大径部８ａ２とで構成され、各大径部８ａ２の円周方向位置、すなわち軸受部材７の厚肉部Ａ１に、貫通孔１２が一又は複数箇所（図６では３箇所）に形成される。
【００３６】
あるいは、スリーブ部８の内周面８ａを、いわゆるテーパ軸受で構成することもできる。具体的には、図７に示すように、スリーブ部８の内周面８ａが、回転軸心Ｏから等距離だけオフセットした中心Ｏ’を有する３つの円弧面８ａ３、８ａ４、８ａ５で構成される。各円弧面が臨むラジアル軸受隙間は、円周方向の一方向に対して、それぞれ楔状に漸次縮小した形状を有している。また、３つの円弧面８ａ３、８ａ４、８ａ５の相互間の境界部に、分離溝と称される、一段深い軸方向溝Ｇが形成されている。このとき、ラジアル軸受隙間の隙間幅が最小となる円周方向位置が、軸受部材７の厚肉部Ａ１となり、分離溝Ｇの円周方向位置が、軸受部材７の薄肉部Ａ２となる。軸受部材７の厚肉部Ａ１に、貫通孔１２が一又は複数箇所（図７では３箇所）に形成される。
【００３７】
あるいは、スリーブ部８の内周面８ａを、いわゆるテーパ・フラット軸受で構成することもできる（図８を参照）。この場合、図７に示す構成のうち、３つの円弧面８ａ３、８ａ４、８ａ５の最小隙間側の所定領域θが、それぞれ、回転軸心Ｏを曲率中心とする同心の円弧で構成されている。従って、各所定領域θにおいて、ラジアル軸受隙間（最小隙間）は一定になる。
【００３８】
以上の実施形態では、軸受部材７の外周面９ｃが真円形状である場合を示したが、これに限られない。例えば、図９に示すように、軸受部材７の外周面９ｃの円周方向の複数箇所（図９では３箇所）に、外径へ向けて突出した突出部７ａを形成してもよい。この場合、突出部７ａの形成領域が厚肉部Ａ１、その円周方向間の領域が薄肉部Ａ２となり、厚肉部Ａ１に貫通孔１２が形成される。本実施形態では、このように、突出部７ａを設けることにより、厚肉部Ａ１と薄肉部Ａ２との肉厚差を積極的に大きくしている。この厚肉部Ａ１と薄肉部Ａ２の肉厚差による成形収縮量の差を利用して、内周面８ａに大径部８ａ１及び小径部８ａ２を形成することができる。この大径部８ａ１と小径部８ａ２との径差が、ラジアル軸受隙間の潤滑流体に動圧作用を発生させる動圧発生部となる。このため、軸受部材７の内周面を成形する内型は、真円形状で足りるため、内型の製造コストが低減される。
【００３９】
以下に、本発明が適用される他の実施形態に係る動圧軸受装置の構成例を示す。図１０に示す動圧軸受装置２１は、主に、第１シール部２３、および第２シール部２４をそれぞれ軸部材２２に設け、シール部２３、２４の外周面２３ａ、２４ａとこれに対向するハウジング部９の内周面９ａ１、９ｂ１との間にシール空間Ｓ２、Ｓ３を形成している。また、第１シール部２３（下側）の上端面２３ｂとスリーブ部８の下端面８ｂとの間に第１スラスト軸受部Ｔ１１が形成されると共に、第２シール部２４（上側）の下端面２４ｂとスリーブ部８の上端面８ｃ（この実施形態では、かかる上端面８ｃにも動圧溝形成領域が設けられる。）との間に第２スラスト軸受部Ｔ１２が形成される。なお、この実施形態では、シール部２３、２４を何れも軸部材２２とは別体とし、これらシール部２３、２４を軸部材２２に接着、圧入等の手段で固定した場合を例示しているが、これに限らず、例えばシール部２３、２４のうち何れか一方を軸部材２２と一体に形成することもできる。
【００４０】
この実施形態では、貫通孔１２の上端は、第１スラスト軸受部Ｔ１１のスラスト軸受隙間を介してラジアル軸受隙間の上端と連通すると共に、貫通孔１２の下端は、第２スラスト軸受部Ｔ１２のスラスト軸受隙間を介してラジアル軸受隙間の下端と連通する。
【００４１】
図１１に示す動圧軸受装置３１は、スリーブ部８の下端面８ｂとフランジ部３２ｂの上端面３２ｂ１との間に第１スラスト軸受部Ｔ２１が形成されると共に、ディスクハブ３３を構成する円盤部３３ａの下端面３３ａ１とハウジング部３９の上端面３９ａとの間に第２スラスト軸受部Ｔ２２が形成される。また、ハウジング部３９の外周上端にテーパシール面３９ｂを設け、このテーパシール面３９ｂと、この面に対向するディスクハブ３３の筒部３３ｂの内周面３３ｂ１との間にシール空間Ｓ４を形成する。
【００４２】
この実施形態では、貫通孔１２の上端は、スリーブ部８の上側端面８ｃと円盤部３３ａの下側端面３３ａ１との間の隙間を介してラジアル軸受隙間の上端と連通すると共に、貫通孔１２の下端は、第１スラスト軸受部Ｔ２１のスラスト軸受隙間を介してラジアル軸受隙間の下端と連通する。
【００４３】
以上の実施形態では、軸受部材として、スリーブ部とハウジング部とが一体成形された場合を例示したが、これに限らず、例えば、貫通孔を有するスリーブ状の軸受部材を、別途形成したハウジングの内周に固定してもよい。
【００４４】
また、以上の実施形態では、貫通孔１２を、スリーブ部８の両端面８ｂ、８ｃに開口する位置に形成した場合を説明したが、これに限らず、軸受部材７、２７、３７を軸方向に貫通し、厚肉部Ａ１に位置する限り、任意の位置に形成することができる。また、図２に示すように、蓋部材１０やシール部１１に半径方向溝１０ｃ、１１ｂ１を形成する場合、これら半径方向溝１０ｃ、１１ｂ１を対向する部材の側（例えばスリーブ部８の両端面８ｂ、８ｃ）に設けることも可能である。
【００４５】
また、以上の実施形態では、円筒状の内周面を有する貫通孔１２を例示したが、軸受部材７に形成される貫通孔は、その両端開口間で流体を流通可能とする限り、また、成形ピンで以って軸受部材の射出成形と同時に形成可能である限り、他形状の貫通孔を採用することもできる。
【００４６】
また、スラスト軸受部の動圧発生部は上記のようなスパイラル形状の動圧発生部に限らず、図示は省略するが、ヘリングボーン形状の動圧溝や、動圧発生部が形成される領域（例えばスリーブ部８の両端面８ｂ、８ｃ、蓋部材１０の上端面１０ａ、ハウジング部３９の上端面３９ａ）に、複数の半径方向溝形状の動圧溝を円周方向所定間隔に設けた、いわゆるステップ軸受、あるいは波型軸受（ステップ型が波型になったもの）等で構成することもできる。
【００４７】
また、以上の実施形態では、スリーブ部８や蓋部材１０、ハウジング部３９の側にスラスト動圧発生部（動圧溝８ｂ１等）が形成される場合を説明したが、動圧発生部が形成される領域は、例えばこれらに対向するフランジ部２ｂの両端面２ｂ１、２ｂ２、あるいはディスクハブ３３の下端面３３ａ１の側に設けることもできる。
【００４８】
また、以上の説明では、動圧軸受装置１、２１、３１の内部に充満し、ラジアル軸受隙間や、スラスト軸受隙間に動圧作用を生じる流体として、潤滑油を例示したが、それ以外にも各軸受隙間に動圧作用を発生可能な流体、例えば空気等の気体や、磁性流体等の流動性を有する潤滑剤、あるいは潤滑グリース等を使用することもできる。
【００４９】
また、本発明の動圧軸受装置は、上記のようにＨＤＤ等のディスク駆動装置に用いられるスピンドルモータに限らず、光ディスクの光磁気ディスク駆動用のスピンドルモータ等、高速回転下で使用される情報機器用の小型モータ、レーザビームプリンタのポリゴンスキャナモータ等における回転軸支持用、あるいは電気機器の冷却ファン用のファンモータとしても好適に使用することができる。
【図面の簡単な説明】
【００５０】
【図１】本発明の実施形態に係る動圧軸受装置１を組込んだスピンドルモータの断面図である。
【図２】動圧軸受装置１の断面図である。
【図３】軸受部材７の径方向断面図である。
【図４】軸受部材７の下面図である。
【図５】軸受部材７の射出成形工程を示す断面図である。
【図６】本発明の他の実施形態の軸受部材７を示す断面図である。
【図７】本発明の他の実施形態の軸受部材７を示す断面図である。
【図８】本発明の他の実施形態の軸受部材７を示す断面図である。
【図９】本発明の他の実施形態の軸受部材７を示す断面図である。
【図１０】本発明の他の実施形態に係る動圧軸受装置２１を示す断面図である。
【図１１】本発明の他の実施形態に係る動圧軸受装置３１を示す断面図である。
【符号の説明】
【００５１】
１     動圧軸受装置
２     軸部材
７     軸受部材
８     スリーブ部
９     ハウジング部
１０   蓋部材
１１   シール部
１２   貫通孔
１３   成形ピン
１４   外型
１５   内型
１６   キャビティ
Ａ１   厚肉部
Ａ２   薄肉部
Ｒ     ラジアル軸受部
Ｔ１、Ｔ２    スラスト軸受部
【図１】
2008008473.tif 000003
【図２】
2008008473.tif 000004
【図３】
2008008473.tif 000005
【図４】
2008008473.tif 000006
【図５】
2008008473.tif 000007
【図６】
2008008473.tif 000008
【図７】
2008008473.tif 000009
【図８】
2008008473.tif 000010
【図９】
2008008473.tif 000011
【図１０】
2008008473.tif 000012
【図１１】
2008008473.tif 000013